(57)【要約】【課題】根菜の茎葉部を挟持して根部を引き抜く歩行型の作物引抜機において、抜き残しの根菜を無くすること。【解決手段】根菜の茎葉部を挟持しつつ所定高さまで引抜く引抜搬送装置４の始端下部に根菜の根部上端を挟持して根部の引抜きを補助する根部引抜搬送装置１５を設け、引抜搬送装置４の下部に根菜の根頭部に当接して根部の上昇を規制する肩揃え装置１６を設け、肩揃え装置１６の終端下部に根菜の根頭部を切り落とす根頭切刃１７を設け、根頭切刃１７を根部引抜搬送装置１５の終端より低く配置すると共に、根部引抜搬送装置１５を引抜搬送装置４から同期駆動させ、後上がり傾斜に設ける引抜搬送装置４の後傾斜角より大きな後上がり傾斜角で根部引抜搬送装置１５を設ける構成とする。【選択図】図１
2020048530.tif 000002
【特許請求の範囲】
【請求項１】
根菜の茎葉部を挟持しつつ所定高さまで引抜く引抜搬送装置（４）の始端下部に根菜の根部上端を挟持して根部の引抜きを補助する根部引抜搬送装置（１５）を設けたことを特徴とする歩行型の作物引抜機。
【請求項２】
前記引抜搬送装置（４）の下部に根菜の根頭部に当接して根部の上昇を規制する肩揃え装置（１６）を設け、該肩揃え装置（１６）の終端下部に根菜の根頭部を切り落とす根頭切刃（１７）を設けたことを特徴とする請求項１に記載の歩行型の作物引抜機。
【請求項３】
前記根頭切刃（１７）を前記根部引抜搬送装置（１５）の終端より低くしたことを特徴とする請求項２に記載の歩行型の作物引抜機。
【請求項４】
前記根部引抜搬送装置（１５）を前記引抜搬送装置（４）から同期駆動したことを特徴とする請求項１又は請求項２に記載の歩行型の作物引抜機。
【請求項５】
後上がり傾斜に設ける前記引抜搬送装置（４）の後傾斜角より大きな後上がり傾斜角で前記根部引抜搬送装置（１５）を設けたことを特徴とする請求項１又は請求項２に記載の歩行型の作物引抜機。
【請求項６】
根部引抜搬送装置（１５）は左右の駆動プーリ（１４ａ）と従動プーリ（１４ｂ）にそれぞれテンションプーリで弾発して回巻した左右挟持ベルト（１５ａ，１５ａ）で根菜の根部を挟持して搬送する構成としたことを特徴とする請求項１または請求項２に記載の歩行型の作物引抜機。
【請求項７】
左右挟持ベルト（１５ａ，１５ａ）を回巻した先端側従動プーリ（１４ｂ）の間隔を変更する電動シリンダを設け、該電動シリンダを作動する間隔調整スイッチ（１９）を操縦ハンドル（１８）の近傍に設けたことを特徴とする請求項１または請求項２に記載の歩行型の作物引抜機。
【発明の詳細な説明】
【技術分野】
【０００１】
本発明は、大根等の根菜作物を軽く引抜き、圃場に起立させて放置する歩行型の作物引抜機に関するものであり、その後、作業者が手作業で根菜を引き抜いて収穫する。
【背景技術】
【０００２】
歩行型の作物引抜機として、特許文献１に記載のものが知られている。
【０００３】
この歩行型の作物引抜機は、機体の前部に作物の茎葉部を引き起こす茎葉引き起こし装置を設け、その後部に茎葉部を挟持して根部を引き抜く引抜搬送装置を設け、引抜途中の根菜の茎葉部を所定高さで切断して根部を圃場の抜き穴に戻す作業を行い、作業者が抜き易くなった根菜を拾い集めて収穫する。
【先行技術文献】
【特許文献】
【０００４】
【特許文献１】特開２０１６−２１４１９９号公報
【発明の概要】
【発明が解決しようとする課題】
【０００５】
根菜の収穫時期が冬場では茎葉部が枯れたり本数が少なくなったたりするために、引抜搬送装置が茎葉部の挟持に失敗したり挟持した茎葉部が千切れたりして根菜の根部が圃場から引き抜かれないままなり、後で作業者が強く引き抜いて収穫作業を行わなければならない。
【０００６】
本発明は、上記従来の課題に鑑みて、根菜の茎葉部を挟持して根部を引き抜く歩行型の作物引抜機において、抜き残しの根菜を無くすることを目的とする。
【課題を解決するための手段】
【０００７】
上記従来の課題は、次の技術手段により解決される。
【０００８】
請求項１の発明は、根菜の茎葉部を挟持しつつ所定高さまで引抜く引抜搬送装置（４）の始端下部に根菜の根部上端を挟持して根部の引抜きを補助する根部引抜搬送装置（１５）を設けたことを特徴とする歩行型の作物引抜機とする。
【０００９】
請求項２の発明は、引抜搬送装置（４）の下部に根菜の根頭部に当接して根部の上昇を規制する肩揃え装置（１６）を設け、該肩揃え装置（１６）の終端下部に根菜の根頭部を切り落とす根頭切刃（１７）を設けたことを特徴とする請求項１に記載の歩行型の作物引抜機とする。
【００１０】
請求項３の発明は、根頭切刃（１７）を根部引抜搬送装置（１５）の終端より低くしたことを特徴とする請求項２に記載の歩行型の作物引抜機とする。
【００１１】
請求項４の発明は、根部引抜搬送装置（１５）を引抜搬送装置（４）から同期駆動したことを特徴とする請求項１或いは請求項２の何れか１項に記載の歩行型の作物引抜機とする。
【００１２】
請求項５の発明は、後上がり傾斜に設ける引抜搬送装置（４）の後傾斜角より大きな後上がり傾斜角で根部引抜搬送装置（１５）を設けたことを特徴とする請求項１或いは請求項２の何れか１項に記載の歩行型の作物引抜機とする。
【００１３】
請求項６の発明は、根部引抜搬送装置（１５）は左右の駆動プーリ（１４ａ）と従動プーリ（１４ｂ）にそれぞれテンションプーリで弾発して回巻した左右挟持ベルト（１５ａ，１５ａ）で根菜の根部を挟持して搬送する構成としたことを特徴とする請求項１または請求項２に記載の歩行型の作物引抜機とする。
【００１４】
請求項７の発明は、左右挟持ベルト（１５ａ，１５ａ）を回巻した先端側従動プーリ（１４ｂ）の間隔を変更する電動シリンダを設け、該電動シリンダを作動する間隔調整スイッチ（１９）を操縦ハンドル（１８）の近傍に設けたことを特徴とする請求項１または請求項２に記載の歩行型の作物引抜機とする。
【発明の効果】
【００１５】
請求項１の発明で、根菜は茎葉部が引抜搬送装置（４）で挟持され、根菜の根頭部が根部引抜搬送装置（１５）で挟持されるので、根菜の茎葉部が枯れたり少なくて弱かったりしても確実に圃場から根部が引き抜かれるので、圃場に抜かれていない根菜が無くなり、後作業での根菜収集作業が楽になる。
【００１６】
請求項２の発明で、請求項１の効果に加えて、引抜搬送装置（４）と根部引抜搬送装置（１５）で引き抜かれた根菜の根頭部が肩揃え装置（１６）で地上高さを揃えられて根頭切刃１７で茎葉の付いた根頭部を切り落とした根菜の根部のみの収集が行え、根菜の根頭部を除く作業が省力化出来る。根頭部を切り落とした根菜として、漬物用ダイコンが適している。
【００１７】
請求項３の発明で、請求項１または請求項２の効果に加えて、根部引抜搬送装置（１５）で挟持された根部の挟持位置より先端側を圃場に抜き残すことになり、根部引抜搬送装置（１５）での挟持傷の無い根部の根菜を収穫できる。
【００１８】
請求項４の発明で、請求項１または請求項２の効果に加えて、引抜搬送装置（４）と根部引抜搬送装置（１５）が同期して搬送駆動されるので、茎葉挟持と根部挟持で捩じれが生じることなく、根菜の引抜がスムースに行われる。
【００１９】
請求項５の発明で、請求項１または請求項２の効果に加えて、根菜の根部を挟持した根部引抜搬送装置（１５）が引抜搬送装置（４）よりも強く確実に根菜を引抜作用して根部の引抜が確実である。
【００２０】
請求項６の発明で、請求項１または請求項２の効果に加えて、左右の駆動プーリ（１４ａ，１４ａ）と従動プーリ（１４ｂ，１４ｂ）にそれぞれテンションプーリで弾発して回巻した左右挟持ベルト（１５ａ，１５ａ）で挟持された根菜の根部は大小が有っても挟持ベルト（１５ａ，１５ａ）が撓んで根部を強力に挟持するので、引抜が確実に行われる。
【００２１】
請求項７の発明で、請求項１または請求項２の効果に加えて、作物引抜機を操縦する作業者は操縦ハンドル（１８）近傍の間隔調整スイッチ（１９）を操作して根菜の大小を判断しながら左右挟持ベルト（１５ａ，１５ａ）の先端側の従動プーリ（１４ｂ，１４ｂ）間隔を調整して挟持ミスなく確実に根部引抜搬送装置（１５）で根菜の根頭部を挟持して引抜を行える。
【図面の簡単な説明】
【００２２】
【図１】作物引抜機の側面図である。
【図２】作物引抜機の平面図である。
【図３】作物引抜機の正面図である。
【図４】引抜搬送装置の平面図である。
【図５】機体前部の拡大側面図である。
【図６】機体前部の拡大平面図である。
【図７】根部引抜搬送装置の拡大平面図である。
【発明を実施するための形態】
【００２３】
上記技術思想に基づいて具体的に構成された実施の形態について以下に図面を参照しつつ説明する。なお、説明においては、作物引抜機の前進方向を前として前後、左右と表現する。
【００２４】
本発明に掛る実施形態のダイコン等の根菜類収穫用の歩行型作物引抜機１は、左右の駆動走行輪２ａ，２ａと右一輪の接地輪２ｂとによって機体２５を圃場走行可能に構成する。
【００２５】
機体には、エンジン３ａを一体に装着してエンジン動力を変速出力する動力伝動装置３及び作業機器として、圃場から大根等の作物を半ばまで引抜く引抜搬送装置４と、この引抜搬送装置４の下方の根部引抜搬送装置１５と肩揃装置５と、切断茎葉を案内排出する排葉ガイド６等を装荷し、引抜搬送装置４の前端部には、上下回動支持部７を介して左右の掻込装置８，８およびその前側の左右の引起装置９，９を上下回動可能に支持することにより、圃場面に広がる下葉をまとめて引抜搬送装置４に渡して根部引抜搬送装置１５と共に根菜を一定高さまで引き抜いて、肩揃装置５で根菜の根頭部を一定高さに揃えながら茎葉切断刃２０で作物の茎葉部を切断して圃場に放出し、肩揃装置５終端の根刃５ｂで根頭部を切って残りの根部を圃場に起立残置して走行する。根部引抜搬送装置１５の終端は引抜搬送装置４の始端部と重なって根菜の引継ぎを行う。
【００２６】
動力伝動装置３は、走行伝動ケース３ｂを介して車高調節可能に駆動走行輪２ａ，２ａに伝動し、また、動力伝動装置３から引抜搬送装置４と茎葉切断装置５を伝動するとともに、引抜搬送装置４の片側方に中継伝動ケース１０と入力軸１１を設けてその前方の掻込装置８を介して左右の掻込装置８，８および左右の引起装置９，９を一括伝動する。
【００２７】
次に、各機器について詳細に説明する。
【００２８】
（引抜搬送装置）
引抜搬送装置４は、左右の対向周回ベルト４ａ，４ａを左右の周回支持フレーム４ｂ，４ｂに支持し、茎葉部を挟持して作物を所定高さまで引上げる挟持搬送機構を後ろ上がりに構成し、その下方に根部引抜搬送装置１５と肩揃装置５と茎葉切断刃２０を設け、終端部に切断茎葉を機体の片側方に案内排出する排葉ガイド６とを備える。
【００２９】
（上下回動支持部）
上下回動支持部７は、機体前部の拡大側面図および拡大平面図を順に図５、図６に示すように、引抜搬送装置４の左右の周回支持フレーム４ｂ，４ｂにその搬送域を跨いで連結補強部材７ｃを取付け、左右の掻込装置８，８の背面に取付けた左右の上下回動アーム８ｃ，８ｃの後端を連結補強部材７ｃの左右の基部に軸支する。左右の上下回動アーム８ｃ，８ｃは、引抜搬送装置４の全幅内で上下回動可能に構成すると共に、これら左右の上下回動アーム８ｃ，８ｃを一体に連結する連結部材８ｄを茎葉部の搬送域を跨いで構成する。
【００３０】
また、連結補強部材７ｃの上部でハンドル７ｂの操作その他によって前後動作可能な、またはコンパクトな伸縮式構成の上下調節アクチュエータ７ａを上下回動可能に支持し、この上下調節アクチュエータ７ａを連結部材８ｄと連結して左右の掻込装置８，８の保持高さを調節可能に、引抜搬送装置４の搬送域の片側方に構成する。
【００３１】
上記構成の上下回動支持部７は、茎葉搬送域を跨ぐ連結部材８ｄによって左右の上下回動アーム８ｃ，８ｃを一体連結することにより、茎葉搬送域を確保しつつ、引抜搬送装置４や掻込装置８，８の剛性確保によって耐久性の向上を図ることができる。また、上下調節アクチュエータ７ａを引抜搬送装置４の搬送域の片側方に配置することにより、茎葉部の搬送域が確保されるので、茎葉部の挟み込みによる上下調節アクチュエータ７ａの破損を防止することができる。
【００３２】
（スライド支持部）
上下調節アクチュエータ７ａは、スライド支持部材７ｄによって前後移動可能に支持するとともに、左右の掻込装置８，８の下降限度を定める移動規制部材７ｅを連結補強部材７ｃに設け、さらに、上下調節アクチュエータ７ａにスプリング等による負荷軽減部材７ｆを設ける。
【００３３】
このように上下調節アクチュエータ７ａをスライド支持することにより、左右の引起装置９，９または左右の掻込装置８，８が圃場の凸部等によって押上げられると、スライド支持部材７ｄによって前後移動することから、押上げによる負荷が上下調節アクチュエータ７ａに作用することが防止される。
【００３４】
また、スライド支持部材７ｄの移動規制部材７ｅにより、左右の掻込装置８，８の保持高さが下降限度内に規制されることから、圃場の凸部の通過後において、引起装置９，９や掻込装置８，８の過大な下降による破損を防止することができる。
【００３５】
（前端部）
機体前端部の左右の引起装置９，９は、機体前方に突出して作物の茎葉部を引起す引起部材である複数のラグ９ａ…を周回支持部９ｂによってそれぞれ周回可能に支持し、また、左右の引起装置９，９の後ろに続く左右の掻込装置８，８は、機体側方に突出して作物の茎葉部を掻込む掻込部材である複数のラグ８ａ…を周回支持部８ｂによってそれぞれ周回可能に支持する。
【００３６】
左右の引起装置９，９と左右の掻込装置８，８は、異なる長さのラグを備え、引起装置９には、分草性の向上と掻込装置８に近接して引継ぎのために、短くて腰の強いタイプで前後長を短く形成し、掻込装置８には、作物に触れても傷を付けないように長く腰の弱いラグを用いる。左右の引起装置９，９それぞれの周回支持部９ｂの内面壁は、途切れることなく延ばして左右それぞれ掻込装置８，８と連結する。
【００３７】
左右の引起装置９，９および左右の掻込装置８，８の伝動は、左右それぞれの側について前後伝動ケース１２を設けて前後に伝動連結し、また、左右の引起装置９，９の上部を互いに伝動連結する引起連結ケース１３を設けて左右一体に連結構成して左右の掻込装置８，８と左右の引起装置９，９とを一体に構成する。
【００３８】
また、左右の掻込装置８，８の一方の背面側に、引抜搬送装置４の片側方の中継伝動ケース１０から上下位置可変に伝動する入力軸１１を介して伝動し、この掻込装置８を介して左右の掻込装置８，８および左右の引起装置９，９を一括伝動する。
【００３９】
（根部引抜搬送装置）
根部引抜搬送装置１５は、左右の対向周回する挟持ベルト１５ａ，１５ａを左右の支持フレーム１５ｂ，１５ｂに軸支した駆動プーリ１４ａ，１４ａと従動プーリ１４ｂ，１４ｂに巻回して支持し、両挟持ベルト１５ａ，１５ａをばね１４ｄで弾発した片側可動テンションプーリ１４ｃ，１４ｃで張っている。挟持ベルト１５ａ，１５ａノートパソコン外周面はスポンジゴムとして根菜の根部をしっかり挟持できるようにする。また、挟持ベルト１５ａ，１５ａの挟み間隔は隙間を持たせてダイコンの径よりも狭い約２０〜３０ミリとし、後側を狭くする。
【００４０】
前側の従動プーリ１４ｂ，１４ｂは、図示省略の電動シリンダで左右間隔を変更可能にし、操縦ハンドル（１８）に設ける間隔調整スイッチ１９で根菜の根部の太さに対応して従動プーリ１４ｂ，１４ｂの間隔を変更して根部を挟持し易くしている。
【００４１】
駆動プーリ１４ａ，１４ａの軸は、引抜搬送装置４の従動プーリ軸とユニバーサルジョイントで連結し、引抜搬送装置４の搬送速度と根部引抜搬送装置１５の搬送速度が同期するようにしているので、茎葉部と根部の捩れることが無い。
【００４２】
なお、この根部引抜搬送装置１５は、ユニットとして引抜搬送装置４から取り外し可能にすることで、根菜の茎葉部だけを挟持して引き抜くことも可能にすると良い。
【００４３】
（肩揃装置）
根刃５ｂは、引抜搬送装置４で吊り下げた根菜の根頭部に接触して水平送りを行うもので、終端下部の根部引抜搬送装置１５の終端よりも低い位置に根刃５ｂを設けて根頭部を切断する。
【符号の説明】
【００４４】
４  引抜搬送装置
１４ａ  駆動プーリ
１４ｂ  従動プーリ
１４ｃ  テンションプーリ
１５  根部引抜搬送装置
１５ａ  挟持ベルト
１６  肩揃え装置
１７  根頭切刃
【図１】
2020048530.tif 000003
【図２】
2020048530.tif 000004
【図３】
2020048530.tif 000005
【図４】
2020048530.tif 000006
【図５】
2020048530.tif 000007
【図６】
2020048530.tif 000008
【図７】
2020048530.tif 000009